Podtech/llm-jp-corpus-v4-ja_patent huggingface dataset:
(57)【特許請求の範囲】
【請求項１】
オイル槽の中にシリンダを設置し、浮動体の上下とピストン支持棒の上下とを滑車を介して1つの輪となるように繋ぎ、波によって上下する浮動体の運動をピストンに伝え、シリンダからオイルを空気室に送り、空気室から送り出される整流されたオイルによりタービンを回転させて発電する装置。
【発明の詳細な説明】
【技術分野】
【０００１】  この発明は、波力発電装置に関する。
【背景技術】
【０００２】  波力発電装置には、振り子式波力発電装置や水柱振動型波力発電装置などがある。
【先行技術文献】
【非特許文献】
【０００３】
【非特許文献１】「波力発電」渡部富治・近藤俶郎著（パワー社）
【発明の概要】
【発明が解決しようとする課題】
【０００４】  振り子式波力発電装置は、振り子でシリンダポンプ又はロータリベーンポンプを動かすが、振り子とこれらのポンプ並びに発電機が近接しており、海水による腐食を受けやすい。【０００５】  水柱振動型波力発電装置は、波のエネルギーを空気圧のエネルギーに変換するが、空気は圧力が加わると収縮するため、タービンを回す仕事をしないで収縮と膨張を繰り返す一定量の空気が必ず存在し、効率を下げている。【０００６】  従来の波力発電装置は、波の周期による出力の変動を十分には除去できない。
【課題を解決するための手段】
【０００７】  上記の課題を解決するために、本発明の波力発電装置は、オイル槽の中にシリンダを設置し、浮動体の上下とピストン支持棒の上下とを滑車を介して1つの輪となるように繋ぎ、波によって上下する浮動体の運動をピストンに伝え、シリンダからオイルを空気室に送り、空気室から送り出される整流されたオイルによりタービンを回転させる構成とした。
【発明の効果】
【０００８】  本発明の波力発電装置は、波力を受ける部分と発電機を十分離すことができるので、海水による腐食を防ぐ対策が容易である。【０００９】  本発明の波力発電装置は、波のエネルギーを圧力によってはほとんど体積を変化させないオイルの流れのエネルギーに変換するので、水柱振動型波力発電装置におけるようなエネルギーのロスがない。【００１０】  本発明の波力発電装置は、オイルを送り出すシリンダとタービンの間に空気室を設けているが、空気室の容積を十分なものにすれば、波の周期によるオイルの流量のむらを十分に吸収することができる。【００１１】  本発明の波力発電装置は、シリンダをオイル槽の中に設置するので、ピストンの滑らかな動きが持続するとともに、海水による腐食を防ぐことができる。
【図面の簡単な説明】
【００１２】
【図１】本発明の波力発電装置の側面断面図である。
【発明を実施するための形態】
【００１３】      以下、本発明の波力発電装置の実施の形態を実施例により説明する。
【実施例】
【００１４】  図１は本発明の波力発電装置の実施例を示す側面断面図である。【００１５】  波により浮動体１が上下に動くと、浮動体に連結したピストン３がシリンダ２内で上下に動くが、シリンダ２の上下の弁８及び９の働きにより、ピストンが上方に動くときも下方に動くときもシリンダ２内のオイルは空気室４に送られる。シリンダ２から空気室４に送られるオイルの流れにはむらがあるが、空気室４内の空気がクッションの働きをし、空気室４からタービン・発電機５に送られるときにはむらが十分に除去され、安定した発電をすることができる。
【符号の説明】
【００１６】        １    浮動体        ２    シリンダ        ３    ピストン        ４    空気室        ５    タービン・発電機        ６    海水        ７    オイル        ８    排出弁        ９    吸入弁      １０    滑車      １１    ワイヤー
【図１】
0005187668.tif 000002
(57)【特許請求の範囲】
【請求項１】
ブロックとブロックを前後左右に連結するブロック用継手であって、当該ブロック用継手はブロックの側面端部に設けた嵌合受け部に嵌合する嵌合部と、嵌合部壁面には外方に突き出した突片１と突片２と、契合相手であるブロック用継手の突片1が挿入される凹部１と突片２が挿入される凹部2が設けられ、凹部１および凹部２は嵌合部壁面から嵌合部内に連通し、突片１はブロックを敷設する基盤面上に接するよう設けられ、かつ突片１にはブロックを基盤面に固定するためのビス孔が設けられたブロックとブロック用継手。
【発明の詳細な説明】
【技術分野】
【０００１】
本発明は、ブロックの継手技術に属する。
【背景技術】
【０００２】
木レンガ・敷石等の各種平板などを床面に配設する各種の方法が開示されている。特開2002-356979には床材の継手構造として、板材の一端に、その一辺が傾斜した傾斜突起を有する凸実を、他端側にはこの傾斜突起が入り込む傾斜溝と、釘取り付け用の取り付け台を有する凹実を設けて床材としポンチによる釘の打ち込みを不要とする方法が開示されている。
特開平05-079109、特開平11-152881には、床材の一端に凸部、他端に前記凸部が嵌合する凹部からなる嵌合手段が開示されている。
【０００３】
いずれの手段も垂直な壁面、あるいは天井には適用できない方法であった。  
【特許文献１】特開2002-356979
【特許文献２】特開平05-079109
【特許文献３】特開平11-152881
【発明の開示】
【発明が解決しようとする課題】
【０００４】
本発明は、ブロックを壁面、天井面に配設する継手の提案にある。
【課題を解決するための手段】
【０００５】
本発明は、ブロックとブロックを前後左右に連結するブロック用継手であって、当該ブロック用継手はブロックの側面端部に設けた嵌合受け部に嵌合する嵌合部と、嵌合部壁面には外方に突き出した突片１と突片２と、契合相手であるブロック用継手の突片1が挿入される凹部１と突片２が挿入される凹部2が設けられ、凹部１および凹部２は嵌合部壁面から嵌合部内に連通し、突片１はブロックを敷設する基盤面上に接するよう設けられ、かつ突片１にはブロックを基盤面に固定するためのビス孔が設けられたブロックとブロック用継手である。ブロックを雄雌継手で連結すると共に、壁面、天井面に配設するため、敷設面に接する凸片1を設け、ビス止めを可能とした。
【発明の効果】
【０００６】
本発明は、ブロックとブロック用継手であって、ブロック敷設面に接する凸片1にビス孔を設け、直接敷設面に固定できるようにしたため壁面、天井面にもブロックである壁材、天井材を連結しながら敷設が可能となる。
【発明を実施するための最良の形態】
【０００７】
以下本発明を、図を用いてより詳細に説明する。
図１は、本発明に係るブロックの継手に係る第1の実施例を示す概念図である。図２ａはその斜視図であり、接続する前の状態を示している。図２ｂは、接続した状態を模式的に示す平面図である。
図１ａは平面図、図１ｂは正面図、図１ｃは側面図である。
図ではブロックの継手は、矩形の箱型の嵌合部と嵌合部壁面から外側に突出する突片１と突片２が設けられている。突片１は、嵌合部の底面から外側に突出し、その中心にビス孔が設けられている。
突片１の上部には凹部１が設けられ、嵌合部内に連通している。突辺２は、嵌合部壁面から凹部１と同じ高さに外側に突出している。
突片２の下部に凹部２が突片1と同じ高さに設けられ、嵌合部内に連通している。本継手同士が接続するときは、突片１は凹部２に挿入され、突片２は凹部１に挿入される。
嵌合部の中心にはブロックと本継手を固定するためのビス孔を設けた嵌合板が設けられている。ブロックと本継手との固定手段はビスによらず接着剤を使用してもよい。
【０００８】
図３は、本継手の第2の実施例である。図３ａは平面図、図３ｂは正面図、図４ｃは側面図である。第1の実施例との差異は、突片２の挿入先端に系止具が設けられ、凹部１に挿入されたとき突片１の奥に設けられた系止受け部により継手間の接続をより確実にするものである。
【０００９】
図４は、ブロックに本継手を嵌合した状態を示す概念図である。図４ａブロックの端面に設けられた嵌合具受け部に本継手の嵌合部を嵌合させた平面図であり、図４ｂは、その一部の側面図である。ブロックと嵌合部は嵌合板に設けたビス孔を介してビスにて固定してもよくあるいは接着剤によって固定してもよいのは前述の通りである。
【００１０】
図５に示した継手は継手嵌合部の背部に空間維持台を設けた第3の実施例である。図５ｄにブロックと本継手を嵌合した断面の一部を示している。
断面図にて示されるように、本継手を使用することでブロックとブロックの敷設面間に隙間を生じ、ブロックと敷設面間に空気の流通が図れる。
【００１１】
図６は本継手を使用したブロックの敷設方法を示している。
図６ａは最初のブロックａを所定の位置に配設し、ビスにて壁面もしくは天井面に固定する。図６ｂに示した、ブロックｂを連結し、図６ｃに示す連結したブロックが得られる。さらに図６ｃに示すｂブロックをビス止めし、同じ作業を繰り返して所定の面積を埋める。このようにビス止めしながら配設できるため垂直な壁面あるいは天井にもブロックの敷設が可能となる。
【００１２】
本継手はプラスチックあるいは金属にて成形される。使用するブロックの大きさ、重量、あるいは敷設する場所が壁面あるいは天井面によりその材質は適宜変更することができる。また、ブロックに嵌め込む継手の位置、数も適宜使用する状態を考慮して変更できる。
また本継手を使用するブロックの敷設は、床面にも使用できることはいうまでもない。
【図面の簡単な説明】
【００１３】
【図１】本発明であるブロックの継手に係る第1の例を示す概念図である。
【図２】本発明であるブロックの継手の契合を示す詳細図である。
【図３】本発明であるブロックの継手に係る第２の例を示す概念図である。
【図４】本発明のブロックと継手を嵌合した状態を示す概念図である。
【図５】本発明であるブロックの継手に係る第３の例を示す概念図である。
【図６】ブロックの敷設手順を示す概念図である。
【符号の説明】
【００１４】
１  継手
２  嵌合部
３  突片１
３１  ビス孔
４  凹部１
５  突片２
６  凹部２
７  系止部
８  系止受け部
９  嵌合板
１０  空間維持台
１１  隙間
【図１】
0005187506.tif 000002
【図２】
0005187506.tif 000003
【図３】
0005187506.tif 000004
【図４】
0005187506.tif 000005
【図５】
0005187506.tif 000006
【図６】
0005187506.tif 000007